(57)【要約】【課題】  発色性及び迅速処理性に優れたハロゲン化銀カラー写真感光材料を提供する。【解決手段】  下記一般式（Ｉ）、（II）又は（III）で表される色素形成カプラーの少なくとも１種を含有することを特徴とするハロゲン化銀カラー写真感光材料。    【化１】2005321538.tif 000036    【化２】2005321538.tif 000037    【化３】2005321538.tif 000038【選択図】        なし【特許請求の範囲】
【請求項１】
下記一般式（Ｉ）で表される色素形成カプラーの少なくとも１種を含有することを特徴とするハロゲン化銀カラー写真感光材料。
【化１】
2005321538.tif 000032
〔式中、Ｒ11はｔ−ブチル基又は
【化２】
2005321538.tif 000033
を表し、Ｒ12は水素又は置換基を表し、ｎは０〜５の整数を表す。ｎが２以上の時、複数のＲ12は互いに同じでも異なってもよい。Ｒ13は水素又は置換基を表す。ｍは０〜５の整数を表す。ｍが２以上の時、複数のＲ13は互いに同じでも異なってもよい。Ｘ11は窒素原子を２個以上有する複素環を形成するのに必要な非金属原子群を表し、Ｒ*11はアルキルスルホニル基、アリールスルホニル基、複素環スルホニル基又はシアノ基を表す。〕
【請求項２】
下記一般式（II）で表される色素形成カプラーの少なくとも１種を含有することを特徴とするハロゲン化銀カラー写真感光材料。
【化３】
2005321538.tif 000034
〔式中、Ｒ21は置換基を表し、Ａは−Ｎ（−Ｒ21）−Ｃ＝Ｎ−と共に５〜７員環を形成する非金属原子群を表す。Ｒ22は水素又は置換基を表し、ｎは０〜５の整数を表す。ｎが２以上の時、複数のＲ22は互いに同じでも異なってもよい。Ｘ21は窒素原子を２個以上有する複素環を形成するのに必要な非金属原子群を表し、Ｒ*21はアルキルスルホニル基、アリールスルホニル基、複素環スルホニル基又はシアノ基を表す。〕
【請求項３】
下記一般式（III）で表される色素形成カプラーの少なくとも１種を含有することを特徴とするハロゲン化銀カラー写真感光材料。
【化４】
2005321538.tif 000035
〔式中、Ｒ31及びＲ32は各々アルキル基、アリール基又は複素環基を表し、又、Ｒ31とＲ32が互いに結合して環を形成してもよい。Ｒ33は水素又は置換基を表し、ｎは０〜５の整数を表す。ｎが２以上の時、複数のＲ33は互いに同じでも異なってもよい。Ｘ31は窒素原子を２個以上有する複素環を形成するのに必要な非金属原子群を表し、Ｒ*31はアルキルスルホニル基、アリールスルホニル基、複素環スルホニル基又はシアノ基を表す。〕
【請求項４】
前記一般式（Ｉ）〜（III）において、Ｘ11、Ｘ21又はＸ31で表される非金属原子群が形成する、窒素原子を２個以上有する複素環が５員環であることを特徴とする請求項１、２又は３記載のハロゲン化銀カラー写真感光材料。
【発明の詳細な説明】
【技術分野】
【０００１】
本発明はハロゲン化銀写真カラー写真感光材料に関し、詳しくは発色性に優れ、更に迅速処理性に優れるハロゲン化銀カラー写真感光材料（以下、カラー感光材料とも略記）に関する。
【背景技術】
【０００２】
近年、ハロゲン化銀感光材料の普及と共に、他の画像形成システムと対比して色再現性や画像保存性に優れたカラー感光材料への要求が強い。ハロゲン化銀カラー写真感光材料において最も一般的に使われているカラー画像形成法は、露光されたハロゲン化銀を酸化剤として、酸化された芳香族第１級アミン系カラー現像主薬とカプラーとを反応させて、インドフェノール、インドアニリン、インダミン、アゾメチン、フェノキサジン、フェナジン及びそれに類する色素を形成させる方法である。このような方式では、減色法によりカラー画像を再現する方法が用いられ、一般的にはイエロー、マゼンタ及びシアンの３色の色素の生成量を変えることによりカラー画像を形成させている。この内、イエロー色素画像を形成させるために用いられる写真用カプラーとしては、アシルアセトアニリド系カプラーが広く使用されている。カラーフィルムには発色の良いベンゾイルアセトアニリドタイプの化合物が、カラーペーパーには色調の優れたピバロイルアセトアニリドタイプの化合物が好んで用いられる。
【０００３】
これらカプラーに要求される基本的性質としては単に色素を形成するだけではなく、形成された色素の分光吸収特性が優れていること、色素の形成速度が大きいこと、発色濃度が高いこと、及び形成された色素の光、熱、湿気に対する堅牢性が高いこと等の種々の特性を有することが望まれる。特に、感光材料に対する高感度化、高画質化が求められる昨今においては、色素形成速度が大きく、発色濃度の高いカプラーの開発が強く求められている。
【０００４】
良好な色再現性、高発色性ならびに耐光性を向上させたイエローカプラーの例としては、例えば特開昭６３−１２３０４７号に記載されるような、アニリド部の２位にアルコキシ基を、５位にアシルアミノ基を有するイエローカプラーが挙げられる。しかし、これらのカプラーは本質的にｐＫａが高く、発色性の点で改善が望まれる。
【０００５】
米国特許４，１４９，８８６号、同４，０９５，９８４号、同４，４７７，５６３号又は英国特許１，２０４，６８０号等に記載されるようなマロンジアニリド型イエローカプラーは、発色性の点では改善されているものの、これらのカプラーにより得られるアゾメチン色素の分光吸収特性において、長波側の裾引きがあり、色再現性上改善が望まれる。特開平４−２１８０４２号、同５−１１４１６号等に記載されるようなＮ，Ｎ−置換マロンジアミド型イエローカプラーは、色再現性の点で改善されてはいるが、発色性の点で完全に満足できるレベルにはない。
【０００６】
一方、仏国特許９９１，４５３号、米国特許２，５００，４８７号、特開昭５７−１５１９４４号に記載されるアルコキシアセトアニリド型イエローカプラーは、色再現性の点では良好であるが、発色性の点では不充分である。特開平５−３１３３２３号に記載されているようなマロンアミドモノエステル型イエローカプラーも、色再現性の点では問題なく、発色性の点でも改善されてはいるものの、完全に満足できるレベルではない。
【０００７】
従来のイエロー色素形成カプラーにおいては、形成される色素の色再現性、吸光係数が小さく、必要な発色濃度を得るために多量のカプラーやハロゲン化銀を必要とし、感光材料のコストが高くなる、感光材料の膜厚が増大し、得られる色像の鮮鋭性が低下する等の問題があった。この問題を解決するカプラーとして、米国特許５，４５５，１４９号に炭素数１〜６のアルキル基が置換したピリミドンが結合したアセトアニリド型カプラーが開示されている（特許文献１参照）。この特許記載のカプラーは、色再現性、高温高湿条件下や光照射による色素の安定性が改良されているものの、発色性に劣るという問題があった。
【０００８】
又、特開２００２−２９６７４０号には置換アルキル基が置換したピリミドンが結合したアセトアニリド型カプラーが、アリール基又は複素環基が置換したピリミドンが結合したアセトアニリド型カプラーが開示され（例えば特許文献２参照）、更に特開２００２−３１８４４２号にはヘテロ原子等の２価の連結基が導入されたピリミドンが結合したアセトアニリド型カプラーが、同２００２−３１８４４３号には炭素数７以上のアルキル基が置換したピリミドンが結合したアセトアニリド型カプラーが提案され、色再現性、耐光性が更に改良している。しかし、これら特許に記載のカプラーは、迅速処理を行った際に処理条件による濃度変動が大きいという欠点を有することが明らかとなった。
【０００９】
このように、発色性を満足し、更に迅速処理性に優れるイエローカプラーの開発が要請されていた。
【特許文献１】米国特許５，４５５，１４９号明細書
【特許文献２】特開２００２−２９６７４１号公報
【発明の開示】
【発明が解決しようとする課題】
【００１０】
従って、本発明の目的は、発色性及び迅速処理性に優れたハロゲン化銀カラー写真感光材料を提供することにある。
【課題を解決するための手段】
【００１１】
本発明の上記目的は下記構成により達成される。
【００１２】
（請求項１）
下記一般式（Ｉ）で表される色素形成カプラーの少なくとも１種を含有することを特徴とするハロゲン化銀カラー写真感光材料。
【００１３】
【化１】
2005321538.tif 000002
【００１４】
〔式中、Ｒ11はｔ−ブチル基又は
【００１５】
【化２】
2005321538.tif 000003
【００１６】
を表し、Ｒ12は水素又は置換基を表し、ｎは０〜５の整数を表す。ｎが２以上の時、複数のＲ12は互いに同じでも異なってもよい。Ｒ13は水素又は置換基を表す。ｍは０〜５の整数を表す。ｍが２以上の時、複数のＲ13は互いに同じでも異なってもよい。Ｘ11は窒素原子を２個以上有する複素環を形成するのに必要な非金属原子群を表し、Ｒ*11はアルキルスルホニル基、アリールスルホニル基、複素環スルホニル基又はシアノ基を表す。〕
（請求項２）
下記一般式（II）で表される色素形成カプラーの少なくとも１種を含有することを特徴とするハロゲン化銀カラー写真感光材料。
【００１７】
【化３】
2005321538.tif 000004
【００１８】
〔式中、Ｒ21は置換基を表し、Ａは−Ｎ（−Ｒ21）−Ｃ＝Ｎ−と共に５〜７員環を形成する非金属原子群を表す。Ｒ22は水素又は置換基を表し、ｎは０〜５の整数を表す。ｎが２以上の時、複数のＲ22は互いに同じでも異なってもよい。Ｘ21は窒素原子を２個以上有する複素環を形成するのに必要な非金属原子群を表し、Ｒ*21はアルキルスルホニル基、アリールスルホニル基、複素環スルホニル基又はシアノ基を表す。〕
（請求項３）
下記一般式（III）で表される色素形成カプラーの少なくとも１種を含有することを特徴とするハロゲン化銀カラー写真感光材料。
【００１９】
【化４】
2005321538.tif 000005
【００２０】
〔式中、Ｒ31及びＲ32は各々アルキル基、アリール基又は複素環基を表し、又、Ｒ31とＲ32が互いに結合して環を形成してもよい。Ｒ33は水素又は置換基を表し、ｎは０〜５の整数を表す。ｎが２以上の時、複数のＲ33は互いに同じでも異なってもよい。Ｘ31は窒素原子を２個以上有する複素環を形成するのに必要な非金属原子群を表し、Ｒ*31はアルキルスルホニル基、アリールスルホニル基、複素環スルホニル基又はシアノ基を表す。〕
（請求項４）
前記一般式（Ｉ）〜（III）において、Ｘ11、Ｘ21又はＸ31で表される非金属原子群が形成する、窒素原子を２個以上有する複素環が５員環であることを特徴とする請求項１、２又は３記載のハロゲン化銀カラー写真感光材料。
【発明の効果】
【００２１】
本発明の実施により、発色性及び迅速処理性に優れたハロゲン化銀カラー写真感光材料を提供できる。
【発明を実施するための最良の形態】
【００２２】
以下、本発明を詳細に説明する。
【００２３】
まず、本発明の一般式（Ｉ）、（II）、（III）で表されるイエロー色素形成カプラー（以下、本発明のカプラーとも言う）について詳細を説明する。
【００２４】
前記一般式（Ｉ）において、Ｒ12は水素又は置換基を表すが、Ｒ12で表される置換基としては、アルキル基（メチル、エチル、プロピル、イソプロピル、ｔ−ブチル、ペンチル、ヘキシル、オクチル、ドデシル、トリデシル、テトラデシル、ペンタデシル等）、シクロアルキル基（シクロペンチル、シクロヘキシル等）、アルケニル基（ビニル、アリル等）、アルキニル基（エチニル、プロパルギル等）、アリール基（フェニル、ナフチル等）、複素環基（フリル、チエニル、ピリジル、ピリダジニル、ピリミジニル、ピラジニル、トリアジニル、イミダゾリル、ピラゾリル、チアゾリル、ベンゾイミダゾリル、ベンゾオキサゾリル、キナゾリニル、フタラジニル、ピロリジニル、イミダゾリジニル、モルホリニル、オキサゾリジニル等）、複素環オキシ基（ピリジルオキシ、ピリジニルオキシ、トリアジニルオキシ基、テトラヒドロピラニルオキシ等）、アルコキシ基（メトキシ、エトキシ、プロポキシ、ペンチルオキシ、ヘキシルオキシ、オクチルオキシ、ドデシルオキシ等）、アリールオキシ基（フェノキシ、ナフチルオキシ等）、アルキルチオ基（メチルチオ、エチルチオ、プロピルチオ、ペンチルチオ、ヘキシルチオ、オクチルチオ、ドデシルチオ等）、アリールチオ基（フェニルチオ、ナフチルチオ等）、アルコキシカルボニル基（メトキシカルボニル、エトキシカルボニル、ブトキシカルボニル、オクチルオキシカルボニル、ドデシルオキシカルボニル等）、アリールオキシカルボニル基（フェノキシカルボニル、ナフチルオキシカルボニル等）、スルファモイル基（アミノスルホニル、メチルアミノスルホニル、ジメチルアミノスルホニル、ブチルアミノスルホニル、ヘキシルアミノスルホニル、シクロヘキシルアミノスルホニル、オクチルアミノスルホニル、ドデシルアミノスルホニル、フェニルアミノスルホニル、ナフチルアミノスルホニル、２−ピリジルアミノスルホニル等）、アシル基（アセチル、エチルカルボニル、プロピルカルボニル、ペンチルカルボニル、シクロヘキシルカルボニル、オクチルカルボニル、２−エチルヘキシルカルボニル、ドデシルカルボニル、フェニルカルボニル、ナフチルカルボニル、ピリジルカルボニル等）、アシルオキシ基（アセチルオキシ、エチルカルボニルオキシ、ブチルカルボニルオキシ、オクチルカルボニルオキシ、ドデシルカルボニルオキシ、フェニルカルボニルオキシ等）、カルバモイル基（アミノカルボニル、メチルアミノカルボニル、ジメチルアミノカルボニル、プロピルアミノカルボニル、ペンチルアミノカルボニル、シクロヘキシルアミノカルボニル、オクチルアミノカルボニル、２−エチルヘキシルアミノカルボニル、ドデシルアミノカルボニル、フェニルアミノカルボニル、ナフチルアミノカルボニル、２−ピリジルアミノカルボニル等）、ウレイド基（メチルウレイド、エチルウレイド、ペンチルウレイド、シクロヘキシルウレイド、オクチルウレイド、ドデシルウレイド、フェニルウレイド、ナフチルウレイド、２−ピリジルアミノウレイド等）、スルフィニル基（メチルスルフィニル、エチルスルフィニル、ブチルスルフィニル、シクロヘキシルスルフィニル、２−エチルヘキシルスルフィニル、ドデシルスルフィニル、フェニルスルフィニ��、ナフチルスルフィニル、２−ピリジルスルフィニル等）、アミノ基（アミノ、エチルアミノ、ジメチルアミノ、ブチルアミノ、シクロペンチルアミノ、２−エチルヘキシルアミノ、ドデシルアミノ、アニリノ、ナフチルアミノ、２−ピリジルアミノ等）、アシルアミノ基（メチルカルボニルアミノ、エチルカルボニルアミノ、ジメチルカルボニルアミノ、プロピルカルボニルアミノ、ペンチルカルボニルアミノ、シクロヘキシルカルボニルアミノ、２−エチルヘキシルカルボニルアミノ基、オクチルカルボニルアミノ、ドデシルカルボニルアミノ、フェニルカルボニルアミノ、ナフチルカルボニルアミノ等）、ハロゲン原子（弗素、塩素、臭素等）、アルキルスルホニル基又はアリールスルホニル基（メチルスルホニル、エチルスルホニル、ブチルスルホニル、シクロヘキシルスルホニル、２−エチルヘキシルスルホニル、ドデシルスルホニル、フェニルスルホニル、ナフチルスルホニル、２−ピリジルスルホニル等）、シアノ基、ニトロ基、ヒドロキシル基、スルホンアミド基、スルホニル基、ホスホニル基、アルキルアミノ基、アリールアミノ基、スルホ基、カルボキシル基等が挙げられる。これらの置換基は何れも置換基を有してもよい。
【００２５】
Ｒ13で表される置換基としては、Ｒ12と同様の基が挙げられる。
【００２６】
Ｘ11は窒素原子を２個以上有する複素環を形成するのに必要な非金属原子群であり、好ましくは形成される複素環は５〜７員環であり、より好ましくは５員環であり、更に好ましくはイミダゾール、トリアゾール、テトラゾールである。該複素環はＲ*11の他に置換基を有していてもよい。
【００２７】
Ｒ*11はアルキルスルホニル基又はアリールスルホニル基（メチルスルホニル、エチルスルホニル、ブチルスルホニル、シクロヘキシルスルホニル、２−エチルヘキシルスルホニル、ドデシルスルホニル、フェニルスルホニル、ナフチルスルホニル、２−ピリジルスルホニル等）、複素環スルホニル基又はシアノ基を表し、好ましくはアルキルスルホニル基、アリールスルホニル基又はシアノ基である。上記の置換基は何れも更に置換基を有してもよい。
【００２８】
以下に、一般式（Ｉ）で表されるカプラーの代表的具体例を示すが、本発明はこれらに限定されるものではない。
【００２９】
【化５】
2005321538.tif 000006
【００３０】
【化６】
2005321538.tif 000007
【００３１】
【化７】
2005321538.tif 000008
【００３２】
【化８】
2005321538.tif 000009
【００３３】
【化９】
2005321538.tif 000010
【００３４】
以下に、一般式（Ｉ）で表されるカプラーの代表的な合成例を示す。
【００３５】
合成例１（例示カプラーＩ−１の合成）
【００３６】
【化１０】
2005321538.tif 000011
【００３７】
〈中間体１１の合成〉
３−メルカプト−１，２，４−トリアゾール４０ｇと水酸化ナトリウム１８．８ｇをメタノール１２０ｍｌに溶解し、水冷下でヨードメタン６７．２ｇを１時間かけて滴下した。滴下終了後、室温で３時間攪拌した後、反応溶液を飽和食塩水にあけ、酢酸エチルで抽出した。酢酸エチル相を飽和食塩水で洗浄し、減圧下で濃縮し、黄色固体をトルエンで再結晶し、中間体１１を１８．８ｇ得た（収率４１％）。核磁気共鳴スペクトル、マススペクトルで構造を確認した。
【００３８】
〈中間体１２の合成〉
中間体１１を１０ｇとタングステン酸ナトリウム・二水和物４．３ｇを酢酸６５ｍｌに溶解し、水冷下で３５％過酸化水素水７ｇを滴下した。滴下終了後、室温で３時間攪拌した後、析出した白色固体を濾取、乾燥して中間体１２を７．８ｇ得た（収率６１％）。核磁気共鳴スペクトルで構造を確認した。
【００３９】
〈中間体１４の合成〉
中間体１３の２４ｇをジクロロメタン１２０ｍｌに溶解し、室温で臭化水素酸ピリジニウムペルブロミド１９．２ｇを１５分毎３回に分け分割添加した。室温で１．５時間攪拌した後、反応溶液を水にあけ、酢酸エチルで抽出した。酢酸エチル相を水洗した後、減圧下で濃縮し、中間体１４を得た。精製は行わず、次工程に用いた。
【００４０】
〈カプラーＩ−１の合成〉
中間体１２の９ｇとトリエチルアミン（ＴＥＡ）９．３ｇを懸濁させたジメチルアセトアミド（ＤＭＡＣ）１００ｍｌ溶液中に、ＤＭＡＣ１００ｍｌに溶解させた中間体１４の粗生成物２１ｇを室温で滴下した。滴下終了後、室温で３時間攪拌した後、反応溶液を水にあけ、酢酸エチルで抽出した。酢酸エチル相を水洗し、減圧下で濃縮し得られる残渣を酢酸エチルとヘキサンの混合溶媒で再結晶し、例示化合物（Ｉ−１）を１８ｇ得た（収率７３％）。核磁気共鳴スペクトル、マススペクトルで構造を確認した。
【００４１】
次に一般式（II）で表されるカプラーについて説明する。
【００４２】
一般式（II）においてＲ21で表される置換基としては前述のＲ12と同様の基が挙げられる。Ｒ21で表される基の内で好ましいものはアルキル基であり、更に好ましくは炭素数１〜６のアルキル基である。Ａは−Ｎ（Ｒ21）−Ｃ＝Ｎ−と共に５〜７員環を形成する非金属原子群を表す。形成される５〜７員環は、好ましくは置換もしくは無置換、単環もしは縮合環の複素環であり、より好ましくは、環構成原子が炭素原子、窒素原子及び硫黄原子から選択される。更に好ましくは、Ａは−Ｃ（Ｒ23）＝Ｃ（Ｒ24）−ＳＯ2−もしくは−Ｃ（Ｒ23）＝Ｃ（Ｒ24）−ＣＯ−で表される基を表す。
【００４３】
Ｒ23、Ｒ24は互いに結合して−Ｃ＝Ｃ−と共に５〜７員環を形成する基もしくは、それぞれ独立に水素原子又は置換基を表す。形成される５〜７員環は飽和又は不飽和環であり、該環は脂環、芳香環、複素環であってもよく、例えばベンゼン環、フラン環、チオフェン環、シクロペンタン環、シクロヘキサン環等が挙げられる。又、置換基としては前述のＲ21の置換基として挙げた例が挙げられる。これらの各置換基や複数の置換基が互いに結合して形成した環は、更に置換基（前述のＲ21の置換基として例示した基が挙げられる）で置換されてもよい。
【００４４】
Ｒ22は水素又は置換基を表し、Ｒ22で表される置換基としては前述のＲ12の置換基として挙げた例が挙げられる。
【００４５】
Ｘ21は窒素原子を２個以上含有する複素環を形成するのに必要な非金属原子群であり、形成される複素環は好ましくは５〜７員環であり、より好ましくは５員環であり、更に好ましくはトリアゾール、テトラゾールである。該複素環はＲ*21の他に置換基を有していてもよい。
【００４６】
Ｒ*21はアルキルスルホニル基又はアリールスルホニル基（メチルスルホニル、エチルスルホニル、ブチルスルホニル、シクロヘキシルスルホニル、２−エチルヘキシルスルホニル、ドデシルスルホニル、フェニルスルホニル、ナフチルスルホニル、２−ピリジルスルホニル等）、複素環スルホニル基又はシアノ基を表し、好ましくはアルキルスルホニル基、アリールスルホニル基である。上記の置換基は何れも更に置換基を有してもよい。
【００４７】
次に、本発明に用いられる一般式（II）で表されるカプラーの代表的具体例を示すが、本発明はこれらに限定されるものではない。
【００４８】
【化１１】
2005321538.tif 000012
【００４９】
【化１２】
2005321538.tif 000013
【００５０】
【化１３】
2005321538.tif 000014
【００５１】
【化１４】
2005321538.tif 000015
【００５２】
【化１５】
2005321538.tif 000016
【００５３】
【化１６】
2005321538.tif 000017
【００５４】
以下に、一般式（II）で表されるカプラーの代表的な合成例を示す。
【００５５】
合成例２（例示カプラーII−１の合成）
【００５６】
【化１７】
2005321538.tif 000018
【００５７】
〈中間体２３の合成〉
１４９ｇの中間体２１と３０２ｇの中間体２２を７５０ｍｌのエタノールに溶解し、ｐ−トルエンスルホン酸７１ｇを加え、加熱還流を６時間行った。ＴＬＣ（薄層クロマトグラフィ）で原料の中間体１が消失しているのを確認した後、エタノールを減圧下で溜去しして水にあけ、酢酸エチルで抽出した。酢酸エチル相を水洗し、減圧下で濃縮して得られる淡黄色オイルをヘキサンで再結晶し、中間体２３を１９９ｇ得た（収率８９％）。核磁気共鳴スペクトル、マススペクトルで構造を確認した。
【００５８】
〈中間体２５の合成〉
９３ｇの中間体２３と１００ｇの中間体２４をキシレン８００ｍｌに溶解し、常圧で加熱しながらキシレンを溜去した。反応液を放冷した後、アセトニトリル３５０ｍｌを加え、析出する固体を濾取、乾燥して中間体２５を１６２ｇ得た（収率９１％）。核磁気共鳴スペクトル、マススペクトルで構造を確認した。
【００５９】
〈中間体２６の合成〉
１５０ｇの中間体２５を塩化メチレン６００ｍｌに溶解し、氷冷下で塩化スルフリル４０ｇを１時間かけて滴下した。滴下終了後、氷冷下で更に１時間攪拌した後、室温で１時間攪拌した。塩化メチレンを減圧下で溜去して水にあけ、酢酸エチルで抽出した。酢酸エチル相を水洗し、減圧下で濃縮し、淡黄色オイルを１６０ｇ得た。精製は行わず、次工程に用いた。
【００６０】
〈例示化合物II−１の合成〉
上記の如く調製した中間体２６の粗生成物８０ｇをＤＭＡＣ４００ｍｌに溶解し、ＴＥＡ２０ｇを加え、４，５−ジシアノイミダゾール２２ｇを加え、室温で２時間攪拌した。反応溶液を水にあけ、酢酸エチルで抽出した。酢酸エチル相を水洗し、減圧下で濃縮して得られた残渣をカラムクロマトグラフィで精製し、例示化合物（II−１）を８０ｇ得た。収率は８８％であった。核磁気共鳴スペクトル、マススペクトルで構造を確認した。
【００６１】
次に、一般式（III）で表されるカプラーについて説明する。
【００６２】
一般式（III）において、Ｒ31及びＲ32は各々、置換基を有してもよいアルキル基（メチル、エチル、プロピル、ｉ−プロピル、ｔ−ブチル、ペンチル、ヘキシル、オクチル、ドデシル、トリデシル、テトラデシル、ペンタデシル等）、アリール基（フェニル、ナフチル等）、複素環基（フリル、チエニル、ピリジル、ピリダジニル、ピリミジニル、ピラジル、トリアジニル、イミダゾリル、ピラゾリル、チアゾリル、ベンゾイミダゾリル、ベンゾオキサゾリル、キナゾリル、フタラジニル、ピロリジニル、イミダゾリジニル、モルホリニル、オキサゾリジニル等）を表し、又、Ｒ31とＲ32が互いに結合して環を形成してもよい。
【００６３】
Ｘ31は窒素原子を２個以上有する複素環を形成するのに必要な非金属原子群であり、形成される複素環は好ましくは５〜７員環であり、より好ましくは５員環であり、更に好ましくはイミダゾール、トリアゾール、テトラゾールである。該複素環はＲ*31の他に置換基を有してもよい。
【００６４】
Ｒ*31はアルキルスルホニル基又はアリールスルホニル基（メチルスルホニル、エチルスルホニル、ブチルスルホニル、シクロヘキシルスルホニル、２−エチルヘキシルスルホニル、ドデシルスルホニル、フェニルスルホニル、ナフチルスルホニル、２−ピリジルスルホニル等）、複素環スルホニル基又はシアノ基を表し、好ましくはアルキルスルホニル基、アリールスルホニル基又はシアノ基である。上記の置換基は何れも更に置換基を有してもよい。
【００６５】
次に、本発明に用いられる一般式（III）で表されるカプラーの代表的具体例を示すが、本発明はこれらに限定されるものではない。
【００６６】
【化１８】
2005321538.tif 000019
【００６７】
【化１９】
2005321538.tif 000020
【００６８】
【化２０】
2005321538.tif 000021
【００６９】
以下に、一般式（III）で表されるカプラーの代表的な合成例を示す。
【００７０】
合成例３（例示化合物III−７の合成）
【００７１】
【化２１】
2005321538.tif 000022
【００７２】
〈中間体３１の合成〉
２−メルカプト−１，３−イミダゾール３０ｇと水酸化ナトリウム１４．５ｇをメタノール９０ｍｌに溶解し、水冷下でブロモブタン４９ｇを１時間かけて滴下した。滴下終了後、室温で３時間攪拌した後、反応溶液を飽和食塩水にあけ、酢酸エチルで抽出した。酢酸エチル相を飽和食塩水で洗浄し、減圧下で濃縮し、黄色固体をトルエンで再結晶し、中間体３１を２４．８ｇ得た（収率５３％）。核磁気共鳴スペクトル、マススペクトルで構造を確認した。
【００７３】
〈中間体３２の合成〉
中間体３１の１５ｇとタングステン酸ナトリウム・二水和物４．７ｇを酢酸１０５ｍｌに溶解し、水冷下で３５％過酸化水素水７．８ｇを滴下した。滴下終了後、室温で３時間攪拌した後、水２５０ｍｌを加え、析出した白色固体を濾取、乾燥した。得られた粗生成物を水３００ｍｌに懸濁し、中間体３２を１５．３ｇ得た（収率８５％）。核磁気共鳴スペクトルで構造を確認した。
【００７４】
〈中間体３４の合成〉
中間体３３の２０ｇをジクロロメタン１２０ｍｌに溶解し、室温で臭化水素酸ピリジニウムペルブロミド１２．６ｇを１５分毎３回に分け分割添加した。室温で２時間攪拌した後、反応溶液を水にあけて酢酸エチルで抽出した。酢酸エチル相を水洗した後、減圧下で濃縮して中間体３４を得た。精製は行わず、次工程に用いた。
【００７５】
〈例示化合物III−７の合成〉
中間体３２を８．８ｇとＴＥＡ４．８ｇを懸濁させたＤＭＡＣ１００ｍｌ溶液中に、ＤＭＡＣ１００ｍｌに溶解させた中間体３４の粗生成物２０ｇを室温で滴下した。滴下終了後、室温で３時間攪拌した後、反応溶液を水にあけ、酢酸エチルで抽出した。酢酸エチル相を水洗し、減圧下で濃縮し得られた残渣をカラムクロマトグラフィーで精製し、例示化合物（III−７）を１６ｇ得た（収率６７％）。核磁気共鳴スペクトル、マススペクトルで構造を確認した。
【００７６】
本発明のカプラーを感光材料に含有させるには、通常のカプラーにおいて用いられる公知の技術が適用できる。即ち、カプラーを高沸点溶媒に、必要に応じて低沸点溶媒を併用して溶解し、微粒子状に分散してハロゲン化銀乳剤に添加するのが好ましい。この時、必要に応じてハイドロキノン誘導体、紫外線吸収剤、褪色防止剤等を併用してもよい。
【００７７】
ハロゲン化銀乳剤層に含有されるハロゲン化銀粒子としては、塩化銀、臭化銀、沃化銀、塩臭化銀、沃臭化銀、塩沃臭化銀等、当分野で用いられる何れのハロゲン化銀粒子であってもよく、特に制限はない。
【００７８】
ハロゲン化銀粒子の組成は、粒子内部から外部に至るまで均一なものであってもよいし、粒子内部と外部の組成が異なってもよい。又、粒子内部と外部の組成が異なる場合、連続的に組成が変化してもよいし、不連続であってもよい。
【００７９】
ハロゲン化銀粒子の粒子径は特に制限はないが、迅速処理性及び感度等、他の写真性能等を考慮すると、好ましくは０．２〜１．６μｍ、更に好ましくは０．２５〜１．２μｍの範囲である。尚、上記粒子径は、当該技術分野において一般に用いられる各種の方法によって測定することができる。代表的な方法としては、ラプランドの「粒子径分析法」（Ａ．Ｓ．Ｔ．Ｍ．シンポジウム・オン・ライト・マイクロスコピー，１９５５年，９４〜１２２頁）又は「写真プロセスの理論」（ミース及びジェームズ共著，第３版，マクミラン社発行（１９６６年）の第２章）に記載されている。
【００８０】
この粒子径は、粒子の投影面積か直径近似値を使ってこれを測定することができる。粒子が実質的に均一形状である場合は、粒径分布は直径か投影面積として正確に表すことができる。
【００８１】
ハロゲン化銀粒子の粒子径の分布は、多分散でもよいし、単分散でもよい。好ましくは、粒子の粒径分布において、その変動係数が０．２２以下、更に好ましくは０．１５以下の単分散ハロゲン化銀粒子である。尚、変動係数は以下のように計算される。
【００８２】
変動係数＝粒径分布の標準偏差／平均粒径
ハロゲン化銀粒子は酸性法、中性法、アンモニア法の何れで得られたものでもよい。該粒子は一時に成長させてもよいし、種粒子を造った後、成長させてもよい。種粒子を造る方法と成長させる方法は同じであっても、異なってもよい。
【００８３】
又、可溶性銀塩と可溶性ハロゲン塩を反応させる形式としては、順混合法、逆混合法、同時混合法それらの組合せなど何れでもよいが、同時混合法で得られたものが好ましい。更に同時混合法の一形式として、特開昭５４−４８５２１号等に記載されるｐＡｇコントロールド・ダブルジェット法を用いることもできる。
【００８４】
更に必要であればチオエーテル等のハロゲン化銀溶剤を用いてもよい。又、メルカプト基含有化合物、含窒素複素環化合物又は増感色素のような化合物をハロゲン化銀粒子の形成時、又は粒子形成終了後に添加して用いてもよい。
【００８５】
ハロゲン化銀粒子の形状は任意のものを用いることができる。好ましい一つの例は、｛１００｝面を結晶表面として有する立方体である。又、８面体、１４面体、１２面体等の形状を有する粒子を用いることもできる。更に、双晶面を有する粒子を用いてもよい。
【００８６】
ハロゲン化銀粒子は、単一の形状からなる粒子を用いてもよいし、種々の形状の粒子が混合されたものでもよい。
【００８７】
ハロゲン化銀粒子は、粒子形成過程及び／又は成長過程で、カドミウム塩、亜鉛塩、鉛塩、タリウム塩、イリジウム塩又は錯塩、ロジウム塩又は錯塩、鉄塩又は錯塩を用いて金属イオンを添加し、粒子内部に及び／又は粒子表面に包含させることができ、又、適当な還元雰囲気に置くことにより、粒子内部及び／又は粒子表面に還元増感核を付与できる。
【００８８】
ハロゲン化銀粒子を含有する乳剤は、ハロゲン化銀粒子の成長の終了後に不要な可溶性塩類を除去してもよいし、あるいは含有させたままでもよい。該塩類を除去する場合には、リサーチ・ディスクロージャ（ＲＤ）１７６４３号記載の方法に基づいて行うことができる。
【００８９】
本発明に用いるハロゲン化銀粒子は、好ましくは潜像が主として表面に形成される粒子であるが、潜像が粒子内部に形成される粒子でもよい。
【００９０】
本発明においてはカルコゲン増感剤を用いることができる。カルコゲン増感剤とは、硫黄増感剤、セレン増感剤、テルル増感剤の総称であるが、硫黄増感剤、セレン増感剤が好ましい。硫黄増感剤としては、例えばチオ硫酸塩、アリルチオカルバジド、チオ尿素、アリルイソチオシアナート、シスチン、ｐ−トルエンチオスルホン酸塩、ローダニン等が挙げられる。その他、米国特許１，５７４，９４４号、同２，４１０，６８９号、同２，２７８，９４７号、同２，７２８，６６８号、同３，５０１，３１３号、同３，６５６，９５５号、西独出願公開（ＯＬＳ）１，４２２，８６９号、特開昭５６−２４９３７号、同５５−４５０１６号等に記載される硫黄増感剤も用いることができる。
【００９１】
硫黄増感剤の添加量は、ｐＨ、温度、ハロゲン化銀粒子の大きさ等の種々の条件によって相当の範囲に亘って変化するが、目安としてはハロゲン化銀１モル当たり１０-7〜１０-1モル程度が好ましい。
【００９２】
本発明に用いられる乳剤は、還元性物質を用いる還元増感法、貴金属化合物を用いる貴金属増感法などを併せて用いることができる。
【００９３】
感光材料には、親水性コロイド層にフィルター染料としてあるいはイラジエーション防止その他種々の目的で、水溶性染料を含有してもよい。
【００９４】
他にも各種の写真用添加剤を含有せしめることができる。例えばカブリ防止剤、現像促進剤、現像遅延剤、漂白促進剤、安定剤、紫外線吸収剤、色汚染防止剤、蛍光増白剤、色画像褪色防止剤、帯電防止剤、硬膜剤、界面活性剤、可塑剤、湿潤剤等を用いることができる（これらに関してはＲＤ１７６４３号を参照できる）。更に競合カプラー及び現像主薬の酸化体とのカップリングによって現像促進剤、漂白促進剤、現像剤、ハロゲン化銀溶剤、調色剤、硬膜剤、かぶらせ剤、カブリ防止剤、化学増感剤、分光増感剤及び減感剤のような写真的に有用なフラグメントを放出する化合物を用いることができる。
【００９５】
感光材料の支持体は、例えばバライタ紙、ポリエチレン被覆紙（ＲＣ紙）、ポリプロピレン合成紙、ガラス板、セルロースアセテート、セルロースナイトレート、ポリエチレンテレフタレート（ＰＥＴ）等のポリエステルフィルム、ポリアミドフィルム、ポリカーボネートフィルム、ポリスチレンフィルム等があり、透明支持体の場合は反射層を併用してもよい。これらの支持体は感光材料の使用目的に応じて適宜選択される。
【００９６】
乳剤層及びその他の構成層の塗設には、ディッピング塗布、エアードクター塗布、カーテン塗布、ホッパー塗布等種々の塗布方法を用いることができる。又、米国特許２，７８１，７９１号、同２，９４１，８９８号に記載の方法による２層以上の同時塗布法を用いることもできる。
【００９７】
本発明においては、各乳剤層の塗設位置を任意に定めることができるが、支持体側から順次、青感性ハロゲン化銀乳剤層、緑感性ハロゲン化銀乳剤層、赤感性ハロゲン化銀乳剤層の配列とすることが好ましい。
【００９８】
感光材料には、目的に応じて適当な厚さの中間層を設けることは任意であり、更にフィルター層、カール防止層、保護層、アンチハレーション層等、種々の層を構成層として適宜組み合わせて用いることができる。
【００９９】
これらの構成層には結合剤として親水性コロイドを用いることができ、ゼラチンが好ましく用いられる。又、その層中には前記乳剤層中の説明で挙げた種々の写真用添加剤を含有させることができる。
【０１００】
感光材料の処理方法については特に制限はなく、通常知られている、あらゆる処理方法が適用できる。例えば、その代表的なものとして、発色現像後、漂白定着処理を行い、必要なら更に水洗及び／又は安定処理を行う方法、発色現像後、漂白と定着を分離して行い、必要に応じ更に水洗及び／又は安定処理を行う方法、何れの方法を用いて処理してもよいが、本発明のカラー感光材料は、発色現像、漂白定着、水洗（又は安定化）の工程で迅速に処理されるのに適している。
【実施例】
【０１０１】
以下、実施例を挙げて本発明を詳細に説明するが、本発明の実施態様は、これに限定されない。
【０１０２】
実施例１
紙支持体の片面にポリエチレンをラミネートし、もう一方の面に酸化チタンを含有するポリエチレンをラミネートした支持体（ＲＣ紙）上に、以下に示す構成の各層を酸化チタンを含有するポリエチレン層の側に塗設し、多層カラー感光材料試料１を作製した。塗布液は下記の如く調製した。
【０１０３】
（第１層塗布液）
イエローカプラー（Ｙ−１）２６．７ｇ、色素画像安定化剤（ＳＴ−１）１０．０ｇ、（ＳＴ−２）６．６７ｇ、添加剤（ＨＱ−１）０．６７ｇ、イラジエーション防止染料（ＡＩ−３）０．３３ｇ、高沸点有機溶媒（ＤＮＰ）６．６７ｇに酢酸エチル６０ｍｌを加え溶解し、この溶液を２０％界面活性剤（ＳＵ−１）７ｍｌを含有する１０％ゼラチン水溶液２２０ｍｌに超音波ホモジナイザーを用いて乳化分散させてイエローカプラー分散液を作製した。この分散液を下記条件にて作製した青感性ハロゲン化銀乳剤（銀８．６８ｇ含有）と混合し第１層塗布液を調製した。
【０１０４】
第２層〜第７層塗布液も上記第１層塗布液と同様に調製した。
【０１０５】
又、硬膜剤として第２層及び第４層に（Ｈ−１）を、第７層に（Ｈ−２）を添加した。塗布助剤としては、界面活性剤（ＳＵ−２）、（ＳＵ−３）を添加し、表面張力を調整した。尚、感光材料中の添加量は、特に記載のない限り１ｍ2当たりのグラム数を示す。
【０１０６】
【表１】
2005321538.tif 000023
【０１０７】
【表２】
2005321538.tif 000024
【０１０８】
ＳＵ−１：トリ−ｉ−プロピルナフタレンスルホン酸ナトリウム
ＳＵ−２：スルホ琥珀酸ジ（２−エチルヘキシル）・ナトリウム塩
ＳＵ−３：スルホ琥珀酸ジ（２，２，３，３，４，４，５，５−オクタフルオロペンチル）・ナトリウム塩
ＤＢＰ：ジブチルフタレート
ＤＮＰ：ジノニルフタレート
ＤＯＰ：ジオクチルフタレート
ＤＩＤＰ：ジ−ｉ−デシルフタレート
ＰＶＰ：ポリビニルピロリドン
ＨＱ−１：２，５−ジ−ｔ−オクチルハイドロキノン
ＨＱ−２：２，５−ジ−ｓｅｃ−ドデシルハイドロキノン
ＨＱ−３：２，５−ジ−ｓｅｃ−テトラデシルハイドロキノン
ＨＱ−４：２−ｓｅｃ−ドデシル−５−ｓｅｃ−テトラデシルハイドロキノン
ＨＱ−５：２，５−ジ（１，１−ジメチル−４−ヘキシルオキシカルボニル）ブチルハイドロキノン
Ｈ−１：テトラキス（ビニルスルホニルメチル）メタン
Ｈ−２：２，４−ジクロロ−６−ヒドロキシ−ｓ−トリアジン・ナトリウム
【０１０９】
【化２２】
2005321538.tif 000025
【０１１０】
【化２３】
2005321538.tif 000026
【０１１１】
【化２４】
2005321538.tif 000027
【０１１２】
【化２５】
2005321538.tif 000028
【０１１３】
【化２６】
2005321538.tif 000029
【０１１４】
〈青感性ハロゲン化銀乳剤の調製〉
４０℃に保温した２％ゼラチン水溶液１０００ｍｌ中に、下記（Ａ液）及び（Ｂ液）をｐＡｇ＝６．５、ｐＨ＝３．０に制御しつつ３０分かけて同時添加し、更に（Ｃ液）及び（Ｄ液）をｐＡｇ＝７．３、ｐＨ＝５．５に制御しつつ１８０分かけて同時添加した。ｐＨの制御は硫酸又は水酸化ナトリウムの水溶液を用いて行い、ｐＡｇの制御は、下記組成の制御液を用いた。制御液の組成は、塩化ナトリウムと硫化カリウムからなる混合ハロゲン化物塩水溶液であり、塩化物イオンと臭化物イオンの比は、９９．８：０．２とし、制御液の濃度は、Ａ液、Ｂ液を混合する際には、０．１モル／リットル、Ｃ液、Ｄ液を混合する際には１モル／リットルとした。
（Ａ液）
塩化ナトリウム                                          ３．４２ｇ
臭化カリウム                                            ０．０３ｇ
水を加えて                                    ２００ｍｌに仕上げた
（Ｂ液）
硝酸銀                                                      １０ｇ
水を加えて                                    ２００ｍｌに仕上げた
（Ｃ液）
塩化ナトリウム                                        １０２．７ｇ
臭化カリウム                                              １．０ｇ
水を加えて                                    ６００ｍｌに仕上げた
（Ｄ液）
硝酸銀                                                    ３００ｇ
水を加えて                                  ６００ｍｌに仕上げた。
【０１１５】
添加終了後、花王アトラス社製デモールＮの５％水溶液と硫酸マグネシウムの２．０％水溶液を用いて脱塩を行った後、ゼラチン水溶液と混合して平均粒径０．８５μｍ、変動係数０．０７、塩化銀含有率９９．５モル％の単分散立方体乳剤ＥＭＰ−１を得た。
【０１１６】
上記乳剤ＥＭＰ−１に対し、下記化合物を用い５０℃にて９０分化学熟成を行い、青感性ハロゲン化銀乳剤（Ｅｍ−Ｂ）を得た。
【０１１７】
チオ硫酸ナトリウム                          ０．８ｍｇ／モルＡｇＸ
塩化金酸                                    ０．５ｍｇ／モルＡｇＸ
安定剤  ＳＴＡＢ−１                    ６×１０-4モル／モルＡｇＸ
増感色素  ＢＳ−１                      ４×１０-4モル／モルＡｇＸ
増感色素  ＢＳ−２                      １×１０-4モル／モルＡｇＸ
〈緑感性ハロゲン化銀乳剤の調製〉
（Ａ液）と（Ｂ液）の添加時間及び（Ｃ液）と（Ｄ液）の添加時間を変更する以外はＥＭＰ−１と同様にして、平均粒径０．４３μｍ、変動係数０．０８、塩化銀含有率９９．５モル％の単分散立方体乳剤ＥＭＰ−２を得た。
【０１１８】
ＥＭＰ−２に対し、下記化合物を用いて５５℃で１２０分化学熟成を行い、緑感性ハロゲン化銀乳剤（Ｅｍ−Ｇ）を得た。
【０１１９】
チオ硫酸ナトリウム                          １．５ｍｇ／モルＡｇＸ
塩化金酸                                    １．０ｍｇ／モルＡｇＸ
安定剤  ＳＴＡＢ−１                    ６×１０-4モル／モルＡｇＸ
増感色素  ＧＳ−１                      ４×１０-4モル／モルＡｇＸ
〈赤感性ハロゲン化銀乳剤の調製〉
（Ａ液）と（Ｂ液）の添加時間及び（Ｃ液）と（Ｄ液）の添加時間を変更する以外はＥＭＰ−１と同様にして、平均粒径０．５０μｍ、変動係数０．０８、塩化銀含有率９９．５モル％の単分散立方体乳剤ＥＭＰ−３を得た。
【０１２０】
ＥＭＰ−３に対し、下記化合物を用いて６０℃で９０分化学熟成を行い、赤感性ハロゲン化銀乳剤（Ｅｍ−Ｒ）を得た。
【０１２１】
チオ硫酸ナトリウム                          １．８ｍｇ／モルＡｇＸ
塩化金酸                                    ２．０ｍｇ／モルＡｇＸ
安定剤  ＳＴＡＢ−１                    ６×１０-4モル／モルＡｇＸ
増感色素  ＲＳ−１                      １×１０-4モル／モルＡｇＸ
ＥＭＰ−１、ＥＭＰ−２及びＥＭＰ−３の化学増感に用いた添加剤の構造を示す。
【０１２２】
ＳＴＡＢ−１：１−（３−アセトアミド）フェニル−５−メルカプトテトラゾール
【０１２３】
【化２７】
2005321538.tif 000030
【０１２４】
試料１における第１層のイエローカプラー（Ｙ−１）を、等質量の表３に示すカプラーに変えた以外は試料１と同様にして試料２〜３５を作製した。
【０１２５】
このようにして得られた試料について、以下の処理方法により写真特性（発色性、迅速処理性）を評価した。
（処理条件）
処理工程          温度            時間
発色現像    ３５．０±０．３℃    ４５秒
漂白定着    ３５．０±０．５℃    ４５秒
安定化          ３０〜３４℃      ９０秒
乾燥            ６０〜８０℃      ６０秒
（発色現像液）
純水                                                        ８００ｍｌ
トリエタノールアミン                                            １０ｇ
Ｎ，Ｎ−ジエチルヒドロキシルアミン                                ５ｇ
臭化カリウム                                                ０．０２ｇ
塩化カリウム                                                      ２ｇ
亜硫酸カリウム                                                ０．３ｇ
１−ヒドロキシエチリデン−１，１−ジホスホン酸                １．０ｇ
エチレンジアミン四酢酸                                        １．０ｇ
カテコール−３，５−ジスルホン酸二ナトリウム塩                １．０ｇ
ジエチレングリコール                                            １０ｇ
Ｎ−エチル−Ｎ−β−メタンスルホンアミドエチル−３−メチル−４−アミノ
アニリン硫酸塩（ＣＤ−３）                                    ４．５ｇ
蛍光増白剤（４，４′−ジアミノスチルベンジスルホン酸誘導体）  １．０ｇ
炭酸カリウム                                                    ２７ｇ
水を加えて全量を１リットルとし、ｐＨ＝１０．１０に調整する。
（漂白定着液）
エチレンジアミン四酢酸第二鉄アンモニウム２水塩                  ６０ｇ
エチレンジアミン四酢酸                                            ３ｇ
チオ硫酸アンモニウム（７０％水溶液）                        １００ｍｌ
亜硫酸アンモニウム（４０％水溶液）                        ２７．５ｍｌ
水を加えて全量を１リットルとし、炭酸カリウム又は氷酢酸でｐＨ＝５．７に調整する。
（安定化液）
５−クロロ−２−メチル−４−イソチアゾリン−３−オン          ０．２ｇ
１，２−ベンゾイソチアゾリン−３−オン                        ０．３ｇ
エチレングリコール                                            １．０ｇ
１−ヒドロキシエチリデン−１，１−ジホスホン酸                ２．０ｇ
ｏ−フェニルフェノールナトリウム                              １．０ｇ
エチレンジアミン四酢酸                                        １．０ｇ
水酸化アンモニウム（２０％水溶液）                            ３．０ｇ
蛍光増白剤（４，４′−ジアミノスチルベンジスルホン酸誘導体）  １．５ｇ
水を加えて全量を１リットルとし、硫酸又は水酸化カリウムでｐＨ＝７．０に調整する。
【０１２６】
《発色性》
各試料について、光学ウェッジを通して白色光により露光した後、上記の処理条件により処理を行った。発色性として、得られた各試料について青色光により最大発色濃度（Ｄmax）を求めた。
【０１２７】
《迅速処理性》
前記現像処理条件中、発色現像工程の現像時間を３０秒に短縮して現像処理を行い、各実技プリントにおけるグレー部分の濃度Ｄ1、Ｄ2を、それぞれ測定し、両者の相対比を迅速処理性と定義して比較した。
【０１２８】
迅速処理性＝Ｄ2／Ｄ1
Ｄ1：現像時間が４５秒の実技プリントにおけるカラーチェッカー部の灰色部分のブルー濃度
Ｄ2：現像時間が３０秒の実技プリントにおけるカラーチェッカー部の灰色部分のブルー濃度
この値が１．０に近いほど初期現像性に優れている。
【０１２９】
結果を併せて表３に示す。
【０１３０】
【表３】
2005321538.tif 000031
【０１３１】
表３から明らかなように、本発明外のイエローカプラーを用いた比較試料１〜３は、発色性、迅速処理性が不十分である。これに対し、本発明のカプラーを用いた試料４〜３５は、何れも発色性が非常に良好であり、更に迅速処理性も向上していることが判る。